(57)【特許請求の範囲】
【請求項１】
内面、長手側面（４）、長手側面を横切る短手側面（５）を有するベース板（６）、
内面、長手側面（４）、長手側面を横切る短手側面（５）を有しかつ前記ベース板（６）に平行に延在するカバー板（７）、および
前記ベース板および前記カバー板に平行の面内に配置され、相互に平行の幾つかのリブタイプのウエブ（２０１，２２６，２２０等）によって相互に隣接すると共に相互から少なくとも一部で分離し、かつ収納開口部を介して外部からアクセスすることのできる複数の物品を内部に収納するための複数の収納コンパートメント（８）を有し、
前記ベース板および前記カバー板が接着または溶接シームにより相互に対して連結され、かつ前記ベース板および前記カバー板の少なくとも一方が前記長手側面（４）の方向において長手側面に隣接して延在する側ウエブ（２１９，２９０）を有するカード形収納ケースにおいて、
前記リブタイプのウエブ（２０１，２２６，２２０等）は、前記ベース板および前記カバー板の内面から垂直に突出しかつそれぞれ前記カバー板から前記ベース板へ向かって延設されかつ前記ベース板から前記カバー板へ向かって延設され、かつ前記ベース板および前記カバー板を相互から所定間隔で保持して内部に収納コンパートメント（８）を形成し、
前記リブタイプのウエブは薄い壁厚（３１２）および前記内面間の全内部高さに実質的に対応する高さ（３１１）を有し、
それにより前記リブタイプのウエブ（２０１，２２６，２２０等）は前記カバー板が前記ベース板上に載置されるときに相互に対して隣接し、かつ接着または溶接シームにより前記ベース板および前記カバー板の対峙する内面に端縁で連結されていることを特徴とする、カード形収納ケース。
【請求項２】
内面、長手側面（４）、長手側面を横切る短手側面（５）を有するベース板（６）、
内面、長手側面（４）、長手側面を横切る短手側面（５）を有しかつ前記ベース板（６）に平行に延在するカバー板（７）、および
前記ベース板および前記カバー板に平行の面内に配置され、相互に平行の幾つかのリブタイプのウエブ（２０１，２２６，２２０等）によって相互に隣接すると共に相互から少なくとも一部で分離し、かつ収納開口部を介して外部からアクセスすることのできる複数の物品を内部に収納するための複数の収納コンパートメント（８）を有し、
前記ベース板および前記カバー板が接着または溶接シームにより相互に対して連結され、かつ前記ベース板および前記カバー板の少なくとも一方が前記長手側面（４）の方向において長手側面に隣接して延在する側ウエブ（２１９，２９０）を有し、
前記リブタイプのウエブが薄い壁厚（３１２）を有するカード形収納ケースにおいて、
前記リブタイプのウエブ（２０１，２２６，２２０等）は、前記ベース板および前記カバー板の内面から垂直に突出しかつ前記カバー板から前記ベース板へ向かって延設されかつ前記ベース板から前記カバー板へ向かって延設され、かつ前記ベース板および前記カバー板を相互から所定間隔で保持して内部に収納コンパートメント（８）を形成し、
前記リブタイプのウエブ（２０１，２２６，２２０等）は前記ベース板上に第一ウエブを含み、かつ前記カバー板上に対峙する第二ウエブを含み、
前記第一ウエブは、前記カバー板が前記ベース板上に載置されるときに対峙する第二ウエブと対面し、かつ前記カバー板と前記ベース板間で合致して共に結合ウエブを形成し、それにより前記ベース板および前記カバー板の内面間の内部の高さ（３１１）にわたって複数の内部収納コンパートメント（８）を形成し、かつ前記第一および第二ウエブは接着または溶接シームによりそれぞれの端縁で連結されていることを特徴とする、カード形収納ケース。
【請求項３】
前記内部収納コンパートメント（８）は、前記カバー板が前記ベース板上に載置されたときに相互に対して隣接する前記ウエブ（２０１，２２６，２２０等）間に形成されていることを特徴とする、請求項１に記載のカード形収納ケース。
【請求項４】
前記ウエブ（２０１，２０６，２２６，２２０等）は相互に対して近接しかつ平行に配置されて複数の二重壁を形成し、かつ前記内部収納コンパートメント（８）は前記二重壁間に形成されていることを特徴とする、請求項１に記載のカード形収納ケース。
【請求項５】
前記ベース板（６）および前記カード板（７）の少なくとも一方は、前記ウエブ（２０１，２０６，２２６，２２０等）の端縁と前記ベース板および前記カバー板の少なくとも一方の対峙する内面との間で前記ベース板（６）および前記カバー板（７）の少なくとも一方の内面上に配置された接続ウエブ（２９４、３０１）を含むことを特徴とする、請求項１に記載のカード形収納ケース。
【請求項６】
前記接続ウエブ（２９４、３０１）は、コンパートメント・ウエブ（２０１）、ストップ・ウエブ（２０６）、長手ウエブ（２２６）、曲状ウエブ（２３１）またはセンタリング・ウエブ（２２０）のウエブの厚み（３１３）よりも小さい幅（３１４）を有し、かつ０．０１乃至０．５mm間の高さ（３１５）を有することを特徴とする、請求項５に記載のカード形収納ケース。
【請求項７】
前記接続ウエブ（２９４、３０１）は相互から間隔をおいたウエブの長手方向に配置され、かつ前記ベース板（６）および前記カード板（７）は前記接続ウエブ（２９４、３０１）の領域において前記ベース板（６）または前記カード板（７）のウエブに接着剤または超音波溶接により結合されていることを特徴とする、請求項５に記載のカード形収納ケース。
【請求項８】
前記物品は前記内部収納コンパートメント（８）内に摩擦係合により保持されていることを特徴とする、請求項１または２に記載のカード形収納ケース。
【請求項９】
前記内部収納コンパートメント（８）または前記物品の粗面は保持領域においてより大きい表面粗さを有することを特徴とする、請求項８に記載のカード形収納ケース。
【請求項１０】
前ベース板（６）または前記カバー板（７）は、前記内部収納コンパートメント（８）内の物品の係合のために少なくとも一つの物品上に形成された付形部（２９２）と係合する保持突起（２１１）を前記内部収納コンパートメント（８）の領域に含むことを特徴とする、請求項１または２に記載のカード形収納ケース。
【請求項１１】
少なくとも一つのウエブ（２０４）は、物品を前記内部収納コンパートメントに収納するときに少なくとも一つのウエブ（２０４）により物品を摩擦保持するために、物品を収納すべき前記内部収納コンパートメントの一部が、物品の横幅寸法よりも小さい横幅寸法になるように前記内部収納コンパートメントに対して配設されていることを特徴とする、請求項１または２に記載のカード形収納ケース。
【請求項１２】
前記ベース板（６）または前記カバー板（７）の一部は少なくとも１つの前記内部収納コンパートメント（８）に対して相対的変位可能に設置されていることを特徴とする、請求項１または２に記載のカード形収納ケース。
【請求項１３】
前記内部収納コンパートメント（８）の一部は前記ベース板（６）または前記カバー板（７）を受ける面で変位可能または旋回可能に設置されていることを特徴とする、請求項１または２に記載のカード形収納ケース。
【請求項１４】
前記収納コンパートメント（８）の変位可能部は旋回板（２８）で形成されていることを特徴とする、請求項１３に記載のカード形収納ケース。
【請求項１５】
前記旋回板（２８）は前記カバー板（７）と略同一面に配置され、かつ前記ベース板（６）のコーナー領域の旋回マウント（３１）の適所に、前記ベース板に垂直の旋回ピン（３０）により固定されていることを特徴とする、請求項１４に記載のカード形収納ケース。
【請求項１６】
前記旋回ピン（３０）は円筒構造であり、かつ保持リングにより軸方向移動に対して固定されていることを特徴とする、請求項１５に記載のカード形収納ケース。
【請求項１７】
前記旋回マウント（３１）は前記旋回ピン（３０）のための曲状案内スロットを形成していることを特徴とする、請求項１５または１６に記載のカード形収納ケース。
【請求項１８】
前記旋回板（２８）は曲状リング外面（７９）を有し、前記曲状リング外面（７９）の領域において、これからは突出して、はさみ（２６）等の物品、または前記カバー板（７）の凹部（７０）に係合する少なくとも１つの延在部（８０）を有することを特徴とする、請求項１５に記載のカード形収納ケース。
【請求項１９】
前記旋回板（２８）には拡大鏡またはピンセット（３３）が配置されていることを特徴とする、請求項１４に記載のカード形収納ケース。
【請求項２０】
前記収納ケースの長さ（３）は７０mm乃至９０mmであり、かつその厚み（３５）は１．５mm乃至５mm、好ましくは、４．０mm乃至４．３mmであることを特徴とする、請求項１または２に記載のカード形収納ケース。
【請求項２１】
前記収納ケースの厚み（３５）は、前記収納ケースの長さ（３）が増大するにつれて縮小することを特徴とする、請求項２０に記載のカード形収納ケース。
【請求項２２】
前記収納ケースの長さ（３）に対する厚み（３５）の比は関数である厚み（３５）＜１／１８（７０−長さ（３）［mm］）＋５に相当することを特徴とする、請求項１または２に記載のカード形収納ケース。
【請求項２３】
前記カバー板（７）から離れる方向に対面する前記ベース板（６）の底側（１９）と前記底側から離れる方向に対面する前記カバー板（７）の上側（１０）は同じレベルで連続的に延在することを特徴とする、請求項１または２に記載のカード形収納ケース。
【請求項２４】
前記長手側面（４）および／または短手側面（５）の少なくとも一部は前記ベース板（６）または前記カバー板（７）に対して傾斜して配置されて傾斜面（１１）を形成していることを特徴とする、請求項１または２に記載のカード形収納ケース。
【請求項２５】
前記傾斜面（１１）またはこれに該当する前記ベース板（６）または前記カバー板（７）の領域は目盛り（１３）を有することを特徴とする、請求項２４に記載のカード形収納ケース。
【請求項２６】
前記目盛り（１３）は直線メジャー（１４）であることを特徴とする、請求項２５に記載のカード形収納ケース。
【請求項２７】
前記収納コンパートメント（８）の少なくとも１つの内部の高さは物品の厚みと少なくとも同等であることを特徴とする、請求項１または２に記載のカード形収納ケース。
【請求項２８】
前記物品はナイフ（１５）、はさみ（２６）、針、やすり（２２）、ボールペン等の日用品（９）、またはチュウインガム（１９０）、歯科フロス、リフレッシュタオル等の消耗品で構成されていることを特徴とする、請求項１または２に記載のカード形収納ケース。
【請求項２９】
ベース板（６）およびカバー板（７）を有し、かつ少なくとも一つの物品を収納するために前記ベース板および前記カバー板間に形成された少なくとも一つの内部収納コンパートメント（８）を有するカード形収納ケースにおいて、
少なくとも一つの前記内部収納コンパートメントは、少なくとも二つのウエブ（２０１，２０４，２３９）により物品を保持するために複数のセクションに区画され、少なくとも二つの前記ウエブの隣接するウエブ間に内部収納コンパートメント（８）へ挿入される物品が少なくとも二つのウエブ（２０１，２０４，２３９）の少なくとも一つにより弾性変形可能であることを特徴とする、カード形収納ケース。
【請求項３０】
隣接する前記ウエブ（２３９）は相互に対して対称的に湾曲し、前記内部収納コンパートメントへ挿入される物品は隣接する湾曲ウエブにより弾性変形可能であることを特徴とする、請求項２９に記載のカード形収納ケース。
【請求項３１】
少なくとも二つの前記ウエブ（２０１，２０４）は前記ベース板および前記カバー板の少なくとも一つの内面に対して垂直に突出し、かつ前記ベース板およびカバー板の長手方向に配置され、それにより隣接するウエブ（２０１，２０４）の少なくとも一つは隣接するウエブ（２０１，２０４）の他方に対して傾斜配置されたウエブの一部を含むことを特徴とする、請求項２９に記載のカード形収納ケース。
【請求項３２】
前記カバー板およびベース板は複数のウエブにより相互から離隔して、複数の物品を内部に収納するための複数の内部収納コンパートメント（８）を形成していることを特徴とする、請求項２９から３１のいずれか１に記載のカード形収納ケース。
【請求項３３】
前記ウエブの少なくとも幾つかは概ね平行でありかつ前記ベース板および前記カバー板の少なくとも一つに沿って所定間隔をおいて離隔し、前記ウエブが前記ベース板および前記カバー板を相互から所定間隔で保持して、前記内部収納コンパートメントを形成していることを特徴とする、請求項３２に記載のカード形収納ケース。
【請求項３４】
前記ベース板および前記カバー板の内面上にウエブ（２０１，２０６，２１９，２２６，２３１，２２０等）が形成され、前記ウエブは前記ベース板からその内面に対して垂直に前記カバー板へ向かって突出し、かつ前記カバー板からその内面に対して垂直に前記カバー板へ向かって突出して前記ベース板と前記カバー板を離隔し、それにより少なくとも一つの内部収納コンパートメントを形成していることを特徴とする、請求項２９から３１のいずれか１に記載のカード形収納ケース。
【請求項３５】
前記ベース板および前記カバー板の一方の内面上にウエブ（２０１，２０６，２１９，２２６，２３１，２２０等）が配置され、前記ウエブは前記ベース板および前記カバー板の一方の内面に対して垂直に前記ベース板および前記カバー板の他方へ向かって突出し、かつ前記ウエブは前記ベース板および前記カバーの内面間の全高に概ね対応する高さを有することを特徴とする、請求項２９から３１のいずれか１に記載のカード形収納ケース。
【請求項３６】
前記ウエブは前記ベース板から前記カバー板へ向かって延在する第一ウエブ、および前記カバー板から前記ベース板へ向かって前記第一ウエブと反対方向へ一部が延在する第二ウエブを含み、前記第一および第二ウエブはベース板と前記カバー板間で合致して前記ベース板および前記カバー板の内面間の高さ（３１１）にわたる結合ウエブを形成していることを特徴とする、請求項３４に記載のカード形収納ケース。
【請求項３７】
少なくとも一つの前記内部収納コンパートメント（８）は、前記カバー板が前記ベース板上に載置されるときに相互に対して隣接するウエブ（２０１，２０６，２１９，２２６，２３１，２２０等）間に形成されることを特徴とする、請求項３５に記載のカード形収納ケース。
【請求項３８】
前記ウエブ（２０１，２０６，２１９，２２６，２３１，２２０等）は相互に接近して配置されて二重壁を形成し、かつ少なくとも一つの内部収納コンパートメント（８）は前記二重壁間に形成されていることを特徴とする、請求項３５に記載のカード形収納ケース。
【発明の詳細な説明】
本発明は請求項１の導入部に記載のような、金属又はプラスチック材のカード形収納ケースに関するものである。
プラスチック材のカード形収納ケースはすでに知られており、例えば、ナイフ又はやすりのように収納ケースの外部寸法を越えて突出する柄部のある種々の日用品を収納するための幾つかの収納コンパートメントを備えたものがある。日用品をこの収納ケースに挿入する場合、その日用品のためのこの運搬手段の寸法はチェック・カードの主要寸法に相当する。この場合の欠点としては、この収納ケースを札入れのチェック・カード用収納ポケットから取り出す時に、個々の日用品が収納ケースから離脱し、このためこの収納ケースを収納ポケットに挿入することはもとより、取り出すことも事実上不可能となることである。
特にクレジット・カード及びチェック・カード用のプラスチック材のカード形収納ケースも知られており、これは収納コンパートメントを有することはもとより外形が矩形であることが好ましく、ベース板、これに平行なカバー板及びこのベース板又はカバー板に垂直な側壁で形成されている。収納開口部は側壁の１つに位置して、ここからクレジット・カード又はチェック・カードが収納コンパートメントに挿入される。このような収納ケースは小型で、特に薄型である点で利点があり、例えば、札入れに挿入する時のような極めて小さなスペースに収納が可能である。しかしこの利点は、例えば、クレジット・カード又はチェック・カード用収納ケースに挿入される物品に関してのみ利用できるものである。
本発明の目的は日用品を確実に保持すると共に収納用の小寸法且つ薄型スペースのカード形収納ケースを提供することである。
本発明の目的は請求項１および２の特徴部に記載の特徴により達成される。ここでの驚くべき利点は、日用品が相互に隣接して配置されるため薄い外部寸法を維持することができることである。
請求項１の発明によれば、内面、長手側面、長手側面を横切る短手側面を有するベース板、
内面、長手側面、長手側面を横切る短手側面を有しかつ前記ベース板に平行に延在するカバー板、および
前記ベース板および前記カバー板に平行の面内に配置され、相互に平行の幾つかのリブタイプのウエブによって相互に隣接すると共に相互から少なくとも一部で分離し、かつ収納開口部を介して外部からアクセスすることのできる複数の物品を内部に収納するための複数の収納コンパートメントを有し、
前記ベース板および前記カバー板が接着または溶接シームにより相互に対して連結され、かつ前記ベース板および前記カバー板の少なくとも一方が前記長手側面の方向において長手側面に隣接して延在する側ウエブを有するカード形収納ケースが提供され、本発明によるカード形収納ケースにおいて、
前記リブタイプのウエブは、前記ベース板および前記カバー板の内面から垂直に突出しかつそれぞれ前記カバー板から前記ベース板へ向かって延設されかつ前記ベース板から前記カバー板へ向かって延設され、かつ前記ベース板および前記カバー板を相互から所定間隔で保持して内部に収納コンパートメントを形成し、
前記リブタイプのウエブは薄い壁厚および前記内面間の全内部高さに実質的に対応する高さを有し、
それにより前記リブタイプのウエブは前記カバー板が前記ベース板上に載置されるときに相互に対して隣接し、かつ接着または溶接シームにより前記ベース板および前記カバー板の対峙する内面に端縁で連結されていることを特徴とする。
請求項２の発明によれば、内面、長手側面、長手側面を横切る短手側面を有するベース板、
内面、長手側面、長手側面を横切る短手側面を有しかつ前記ベース板に平行に延在するカバー板、および
前記ベース板および前記カバー板に平行の面内に配置され、相互に平行の幾つかのリブタイプのウエブによって相互に隣接すると共に相互から少なくとも一部で分離し、かつ収納開口部を介して外部からアクセスすることのできる複数の物品を内部に収納するための複数の収納コンパートメントを有し、
前記ベース板および前記カバー板が接着または溶接シームにより相互に対して連結され、かつ前記ベース板および前記カバー板の少なくとも一方が前記長手側面の方向において長手側面に隣接して延在する側ウエブを有し、
前記リブタイプのウエブが薄い壁厚を有するカード形収納ケースが提供され、本発明によるカード形収納ケースにおいて、
前記リブタイプのウエブは、前記ベース板および前記カバー板の内面から垂直に突出しかつ前記カバー板から前記ベース板へ向かって延設されかつ前記ベース板から前記カバー板へ向かって延設され、かつ前記ベース板および前記カバー板を相互から所定間隔で保持して内部に収納コンパートメントを形成し、
前記リブタイプのウエブは前記ベース板上に第一ウエブを含み、かつ前記カバー板上に対峙する第二ウエブを含み、
前記第一ウエブは、前記カバー板が前記ベース板上に載置されるときに対峙する第二ウエブと対面し、かつ前記カバー板と前記ベース板間で合致して共に結合ウエブを形成し、それにより前記ベース板および前記カバー板の内面間の内部の高さにわたって複数の内部収納コンパートメントを形成し、かつ前記第一および第二ウエブは接着または溶接シームによりそれぞれの端縁で連結されていることを特徴とする。
請求項３の実施形態によれば、前記内部収納コンパートメントは、前記カバー板が前記ベース板上に載置されたときに相互に対して隣接する前記ウエブ間に形成されている。
請求項４の実施形態によれば、前記ウエブは相互に対して近接しかつ平行に配置されて複数の二重壁を形成し、かつ前記内部収納コンパートメントは前記二重壁間に形成されている。
請求項５の実施形態によれば、前記ベース板および前記カード板の少なくとも一方は、前記ウエブの端縁と前記ベース板および前記カバー板の少なくとも一方の対峙する内面との間で前記ベース板および前記カバー板の少なくとも一方の内面上に配置された接続ウエブを含む。
請求項６の実施形態によれば、前記接続ウエブは、コンパートメント・ウエブ、ストップ・ウエブ、長手ウエブ、曲状ウエブまたはセンタリング・ウエブのウエブの厚みよりも小さい幅を有し、かつ０．０１乃至０．５mm間の高さを有する。
請求項７の実施形態によれば、前記接続ウエブは相互から間隔をおいたウエブの長手方向に配置され、かつ前記ベース板および前記カード板は前記接続ウエブの領域において前記ベース板または前記カード板のウエブに接着剤または超音波溶接により結合されている。
請求項８の実施形態によれば、前記物品は前記内部収納コンパートメント内に摩擦係合により保持されている。
請求項９の実施形態によれば、前記内部収納コンパートメントまたは前記物品の粗面は保持領域においてより大きい表面粗さを有する。
請求項１０の実施形態によれば、前ベース板または前記カバー板は、前記内部収納コンパートメント内の物品の係合のために少なくとも一つの物品上に形成された付形部と係合する保持突起を前記内部収納コンパートメントの領域に含む。
請求項１１の実施形態によれば、少なくとも一つのウエブは、物品を前記内部収納コンパートメントに収納するときに少なくとも一つのウエブにより物品を摩擦保持するために、物品を収納すべき前記内部収納コンパートメントの一部が、物品の横幅寸法よりも小さい横幅寸法になるように前記内部収納コンパートメントに対して配設されている。
請求項１２の実施形態によれば、前記ベース板または前記カバー板の一部は少なくとも１つの前記内部収納コンパートメントに対して相対的変位可能に設置されている。
請求項１３の実施形態によれば、前記内部収納コンパートメントの一部は前記ベース板または前記カバー板を受ける面で変位可能または旋回可能に設置されている。
請求項１４の実施形態によれば、前記収納コンパートメントの変位可能部は旋回板で形成されている。
請求項１５の実施形態によれば、前記旋回板は前記カバー板と略同一面に配置され、かつ前記ベース板のコーナー領域の旋回マウントの適所に、前記ベース板に垂直の旋回ピンにより固定されている。
請求項１６の実施形態によれば、前記旋回ピンは円筒構造であり、かつ保持リングにより軸方向移動に対して固定されている。
請求項１７の実施形態によれば、前記旋回マウントは前記旋回ピンのための曲状案内スロットを形成している。
請求項１８の実施形態によれば、前記旋回板は曲状リング外面を有し、前記曲状リング外面の領域において、これからは突出して、はさみ等の物品、または前記カバー板の凹部に係合する少なくとも１つの延在部を有する。
請求項１９の実施形態によれば、前記旋回板には拡大鏡またはピンセットが配置されている。
請求項２０の実施形態によれば、前記収納ケースの長さは７０mm乃至９０mmであり、かつその厚みは１．５mm乃至５mm、好ましくは、４．０mm乃至４．３mmである。
請求項２１の実施形態によれば、前記収納ケースの厚みは、前記収納ケースの長さが増大するにつれて縮小する。
請求項２２の実施形態によれば、前記収納ケースの長さに対する厚みの比は関数である厚み＜１／１８（７０−長さ［mm］）＋５に相当する。
請求項２３の実施形態によれば、前記カバー板から離れる方向に対面する前記ベース板の底側と前記底側から離れる方向に対面する前記カバー板の上側は同じレベルで連続的に延在する。
請求項２４の実施形態によれば、前記長手側面および／または短手側面の少なくとも一部は前記ベース板または前記カバー板に対して傾斜して配置されて傾斜面を形成している。
請求項２５の実施形態によれば、前記傾斜面またはこれに該当する前記ベース板または前記カバー板の領域は目盛りを有する。
請求項２６の実施形態によれば、前記目盛りは直線メジャーである。
請求項２７の実施形態によれば、前記収納コンパートメントの少なくとも１つの内部の高さは物品の厚みと少なくとも同等である。
請求項２８の実施形態によれば、前記物品はナイフ、はさみ、針、やすり、ボールペン等の日用品、またはチュウインガム、歯科フロス、リフレッシュタオル等の消耗品で構成されている。
請求項２９の発明によれば、ベース板およびカバー板を有し、かつ少なくとも一つの物品を収納するために前記ベース板および前記カバー板間に形成された少なくとも一つの内部収納コンパートメントを有するカード形収納ケースが提供され、
本発明によるカード形収納ケースによれば、少なくとも一つの前記内部収納コンパートメントは、少なくとも二つのウエブにより物品を保持するために複数のセクションに区画され、少なくとも二つの前記ウエブの隣接するウエブ間に内部収納コンパートメントへ挿入される物品が少なくとも二つのウエブの少なくとも一つにより弾性変形可能であることを特徴とする。
請求項３０の実施形態によれば、隣接する前記ウエブは相互に対して対称的に湾曲し、前記内部収納コンパートメントへ挿入される物品は隣接する湾曲ウエブにより弾性変形可能である。
請求項３１の実施形態によれば、少なくとも二つの前記ウエブは前記ベース板および前記カバー板の少なくとも一つの内面に対して垂直に突出し、かつ前記ベース板およびカバー板の長手方向に配置され、それにより隣接するウエブの少なくとも一つは隣接するウエブの他方に対して傾斜配置されたウエブの一部を含む。
請求項３２の実施形態によれば、前記カバー板およびベース板は複数のウエブにより相互から離隔して、複数の物品を内部に収納するための複数の内部収納コンパートメントを形成している。
請求項３３の実施形態によれば、前記ウエブの少なくとも幾つかは概ね平行でありかつ前記ベース板および前記カバー板の少なくとも一つに沿って所定間隔をおいて離隔し、前記ウエブが前記ベース板および前記カバー板を相互から所定間隔で保持して、前記内部収納コンパートメントを形成している。
請求項３４の実施形態によれば、前記ベース板および前記カバー板の内面上にウエブが形成され、前記ウエブは前記ベース板からその内面に対して垂直に前記カバー板へ向かって突出し、かつ前記カバー板からその内面に対して垂直に前記カバー板へ向かって突出して前記ベース板と前記カバー板を離隔し、それにより少なくとも一つの内部収納コンパートメントを形成している。
請求項３５の実施形態によれば、前記ベース板および前記カバー板の一方の内面上にウエブが配置され、前記ウエブは前記ベース板および前記カバー板の一方の内面に対して垂直に前記ベース板および前記カバー板の他方へ向かって突出し、かつ前記ウエブは前記ベース板および前記カバーの内面間の全高に概ね対応する高さを有する。
請求項３６の実施形態によれば、前記ウエブは前記ベース板から前記カバー板へ向かって延在する第一ウエブ、および前記カバー板から前記ベース板へ向かって前記第一ウエブと反対方向へ一部が延在する第二ウエブを含み、前記第一および第二ウエブはベース板と前記カバー板間で合致して前記ベース板および前記カバー板の内面間の高さにわたる結合ウエブを形成している。
請求項３７の実施形態によれば、少なくとも一つの前記内部収納コンパートメントは、前記カバー板が前記ベース板上に載置されるときに相互に対して隣接するウエブ間に形成される。
請求項３８の実施形態によれば、前記ウエブは相互に接近して配置されて二重壁を形成し、かつ少なくとも一つの内部収納コンパートメントは前記二重壁間に形成されている。
請求項５の接続ウエブの配置により、ベース板及びカバー板が実際に接続される範囲は予め決定することができる。
更に請求項６の設計は、ベース板とカバー板との接続を溶接、例えば、超音波溶接による接続を可能にする。
更に請求項７の設計により、ベース板及びカバー板の上側又は下側に対して直角方向の可撓性が、種々の要件に合せて個々の接続ウエブ間の距離に依って容易に調節することができ、日用品又は消耗品の挿入および係止に関して対応するスペース量が得られる。
更に請求項８乃至１１の実施形態は、日用品又は消耗品がその収納コンパートメントからいつの間にか離脱又は滑り出ることがないという利点を有する。
更に請求項１２及び１３による改良は、この収納ケースに配置された大きめの日用品又は消耗品が簡単な旋回運動又は旋回板の摺動能力によりアクセスできる利点を有する。
更に請求項１４による改良は、この収納ケースの製造を容易にすると共に、特に射出成形ダイの製造によって製造コストを低減することができる。
更に請求項１５の実施形態は、例えば札入れ、の収納ポケットへの挿入を妨げるような鋭い突部等がない操作が簡単なカバーを提供する利点を有する。
請求項１６及び１７は、カバー自体の独立の離脱を防止すると共にカバー面をこのカバーにより完全に露出できるという利点を有する。
請求項１８による実施形態は、旋回板を収納ケースの所定位置に保持しかつ／または安全のため独立の離脱を防止すべき鋭い、又は尖った日用品を所定位置に保持する利点を有する。
請求項１９，２５及び２６の利点の結果として、このような収納ケースの目的が種々の測定業務をも遂行できるように確実に延長されている。
請求項２０乃至２２の利点は、例えば、札入れ、書類ケース、又は個人的書類入れに設けられた収納ポケットへの挿入を、厚みを適当に変化させることにより外部寸法の異なる場合でも可能として、収納ポケットを無理に引き伸ばして収納ケースが収納ポケットから不本意に滑り出ることがないようにする。
請求項２３乃至２４の結果として、このような収納ケースへの挿入がより一層容易になる。
請求項２７の実施形態は、日用品を僅かに傾けることで簡単に挿入することができる利点を有する。
請求項２８の実施形態は、最も使用頻度の高い日用品又は消耗品をこの収納ケースに配置できる利点を有する。
請求項１，２および３２−３７の実施形態は、カバー板とベース板との間に複数のリブを形成する薄いウエブを使用して、このベース板とカバー板が極めて薄い壁であってもカード形収納ケースを非常に安定した構造にすることができるようにする利点を有する。更に、薄手のウエブ又は薄手の壁のウエブを製造でき、この薄手の構成要素は可塑的プラスチックでより容易に充填することができ、また数個の薄手のウエブによって厚手の壁による少数のウエブよりも安定したハニカム状の構造が得られるので、射出成形によるプラスチックからの製造は単純化される。
本発明のより良い理解のために、本発明を図面に示す実施形態により以下に説明する。
図１は本発明の収納ケースを日用品が挿入された状態で示す平面図、
図２は本発明の収納ケースの側面図、
図３は本発明の収納ケースのベース板の斜視図、
図４は本発明の収納ケースのカバー板の斜視図、
図５は本発明の収納ケースの旋回板の斜視図、
図６は図５のVI−VI線に沿った旋回板の部分断面図、
図７は本発明の収納ケースのベース板の平面図、
図８は本発明の収納ケースのベース板の側面図、
図９は本発明の収納ケースのベース板で、図７のIX−IX線に沿った断面図、
図１０は本発明の収納ケースのベース板で、図７のＸ−Ｘ線に沿った断面図、
図１１は本発明の収納ケースのベース板で、図７のＸＩ−ＸＩ線に沿った断面図、
図１２は本発明の収納ケースのベース板で、図７のＸII−ＸII線に沿った断面図、
図１３は本発明の収納ケースのベース板で、図７のＸIII−ＸIII線に沿った断面図、
図１４は本発明の収納ケースのベース板の部分側面図、
図１５は本発明の収納ケースのベース板で、図７のＸＶ−ＸＶ線に沿った部分断面図，
図１６は本発明の収納ケースのカバー板の平面図、
図１７は本発明の収納ケースのカバー板の側面図、
図１８は本発明の収納ケースのカバー板で、図１６のＸＶIII−ＸＶIII線に沿った断面図、
図１９は本発明の収納ケースのカバー板で、図１６のＸIX−ＸIX線に沿った断面図、
図２０は本発明の収納ケースのカバー板で、図１６のＸＸ−ＸＸ線に沿った断面図、
図２１は本発明の収納ケースのカバー板で、図１６のＸＸＩ−ＸＸＩ線に沿った断面図、
図２２は本発明の収納ケースのカバー板で、図１６のＸＸII−ＸＸII線に沿った断面図、
図２３は本発明の収納ケースのカバー板の部分側面図、
図２４は本発明の収納ケースのカバー板の部分断面図、
図２５は本発明の収納ケースの旋回板の平面図、
図２６は本発明の収納ケースの旋回板の側面図、
図２７は本発明の収納ケースの他の実施形態の平面図、
図２８は本発明の収納ケースの他の実施形態の平面図、
図２９は本発明の収納ケースで、図２８のＸＸＩＸ−ＸＸＩＸ線に沿った断面図、
図３０は本発明の収納ケースの部分図、
図３１は本発明の収納ケースの他の実施形態の平面図、
図３２は本発明の収納ケースの中心部の平面図、
図３３は本発明の収納ケースの中心部で、図３２のＸＸＸIII−ＸＸＸIII線に沿った断面図、
図３４は本発明の収納ケースの中心部の部分断面図、
図３５は図３４のベース板６の他の実施形態、
図３６は図３５のＸＸＸVI−ＸＸＸVI線に沿ったベース板の断面図、
図３７は図３５のＸＸＸVII−ＸＸＸVII線に沿ったベース板の断面図、
図３８は図３５のＸＸＸVIII−ＸＸＸVIII線に沿ったベース板の断面図、
図３９は図３５のＸＸＸIX−ＸＸＸIX線に沿ったベース板の断面図、
図４０は図３５のＸＸＸＸ−ＸＸＸＸ線に沿ったベース板の断面図、
図４１は本発明のカバー板の他の実施形態、
図４２は図４１のＸＸＸＸII−ＸＸＸＸII線に沿ったカバー板の断面図、
図４３は本発明のカバー板で、図４１の矢印ＸＸＸＸIIに沿った断面図、
図４４は本発明のベース板で、図４１のＸＸＸＸIV−ＸＸＸＸIV線に沿った断面図、
図４５は本発明のベース板で、図４１のＸＸＸＸＶ−ＸＸＸＸＶ線に沿った断面図、
図４６は本発明のベース板で、図４１のＸＸＸＸVI−ＸＸＸＸVI線に沿った断面図、
図４７は本発明のピボット板の他の実施形態の平面図、
図４８は本発明のピボット板の側面図、
図４９は本発明の収納ハウジングで、日用品としてナイフが挿入された状態の断面図、
図５０は本発明の収納ケースで、図４９のＬ−Ｌ線に沿った断面図、
図５１は本発明の収納ケースで、図５０のＬＩ−ＬＩ線に沿った断面図、
図５２は本発明のベース板の他の実施形態の平面図、
図５３は本発明のベース板の図５２のＬII−ＬII線に沿った断面図、
図５４は本発明のカバー板の他の実施形態の平面図、
図５５は本発明のカバー板で、図５４のＬＶ−ＬＶ線に沿った断面図、
図５６は本発明の収納ケースの組立状態の断面図、
図５７は本発明の収納ケースの他の実施形態の平面図、
図５８は本発明の収納ケースの他の実施形態の平面図、
である。
図１及び２において、金属又はプラスチック材のカード形収納ケース１が示されており、ケース１は幅２とこの幅に垂直の長さ３を有する矩形輪郭を有する。幅２は、相互に平行で長さ３により相互から離隔した短手側面５に対して垂直の２つの長手側面４を分離する。このカード形収納ケース１はベース板６とカバー板７を有し、これらは離脱可能に又は離脱不可能に接続されている。また、長手側面４と短手側面５はベース板６とカバー板７にそれぞれ垂直であることが好ましい。相互に対向して位置する短手側面５から内部収納コンパートメント８が延設され、この中には特に日用品に限らず消耗品９が配置される。
長手側面４はこれに垂直のカバー板７の上側１０に傾斜面１１を介して接続される。この傾斜面１１は長手側面４から上側１０及び第２長手側面４の方向へ傾斜角１２で形成される。しかしながら、第２長手側面４及び／又は短手側面５、或いは第２長手側面４及び／又は短手側面５の少なくとも一部をベース板６及び／又はカバー板７へ傾斜させた傾斜面１１を形成することも可能である。この場合、傾斜面１１又はこれに対応するベース板６及び／又はカバー板７の領域に目盛り、特に直線メジャー１４が設けられる。日用品９を構成するナイフ１５用収納コンパートメント８は傾斜面１１に隣接して延設され、ナイフ刃部１６は上側１０に垂直のベース板６とカバー板７により包囲される。しかしながら、ナイフ柄部１７は凹溝２０内に配置される。溝２０はベース板６をカバー板７に接続する面１８上で上側１０から離れる方向のベース板６の底側１９の方向へ突出してこの底側に平行に形成され、従って、底側１９の方向においてベース板６によってのみ形成されている。従って、日用品９、即ち、ナイフ１５の収納コンパートメント８はベース板６により、そして少なくとも部分的にベース板６に平行のカバー板７により包囲される。ナイフ柄部１７は上側１０に略平行且つ上側１０と同レベルのグリップ面２１を有する。
更に、例えば、やすり用収納コンパートメント８はナイフ１５に隣接して、目盛り１３と反対方向に配置されている。これはカバー板７とベース板６とにより上側１０及び底側１９の両方向に形成され、やすり２２を収納コンパートメント８に挿入するための収納開口部２３が短手側面５に配設されている。カバー板７は矩形凹部２４を有し、この凹部は短手側面５の方向において短手側面５から離れる方向へ突出して短手側面５と対面する。やすり柄部２５はそこに配置されて凹部２４を介して外部からアクセスできるようになっている。これによりやすり２２の簡単な取り扱いができ、収納コンパートメント８からの容易な出し入れが可能となる。この結果、この収納コンパートメント８の一部がナイフ柄部１７の場合と同様に凹部２４を介してアクセス可能となる。
やすり２２用収納コンパートメント８に隣接して、はさみ２６用収納コンパートメント８が短手側面５の方向において短手側面５から離れる方向に延設されて短手側面５と対面している。はさみ２６のグリップ２７とカバー板７における円弧形の凹部２４は上側１０の方向において旋回板２８により覆われ、はさみ２６用の収納開口部２３がベース板６とカバー板７により底側１９と上側１０の方向に形成されている。この旋回板２８は上側１０又は底側１９に垂直の円筒状旋回ピン３０により収納ケース１のコーナー部のマウント３１に装着されている。この旋回マウントは、例えば、曲状の案内スロット３２構造である。旋回ピン３０は保持リングにより旋回マウント３１の軸方向運動を防止できる。
はさみ２６用収納コンパートメントに隣接して、ピンセット３３とつま楊子３４を収納するための２つの収納コンパートメント８が長手側面４に相互に平行に延在する。ピンセットとつま楊子は短手側面５の収納開口部２３を通して収納コンパートメント８に挿入することができる。やすり柄部の場合と同様、ピンセット３３及びつま楊子３４に関して凹部２４を短手側面５の領域に設けることができる。上側１０は矩形の収納ケース１の厚み３５により底側１９から離隔し、その寸法は１．５mm乃至５mm、好ましくは、４．０乃至４．３mmである。長さ３は７０mm以下９０mm以上であってはならず、幅２と同様、多様な厚み３５の収納ケース１を形成し、例えば、札入れ、書類ケース、又は個人的書類入れに設けられるような従来の収納ポケットに収納できるようになっている。更に、この収納ケース１の厚さ３５は、慣習上、長さ３の増大とともに縮小されており、この場合、収納ケース１の厚さ３５は［１／１８×（７０−長さ３）＋５）］よりも小さいか又は同等の厚さ比３５（Ｄ）で減少する。収納コンパートメント８のすべての収納開口部２３を短手側面５又は長手側面４に配置することもできる。しかしながら、例えば、はさみ２６及びナイフ１５の収納開口部２３は短手側面５に、やすり２２、ピンセット３３及びつま楊子３４の収納開口部２３は前記短手側面５側でその短手側面に対面配設するのが得策である。
日用品９及び／又は消耗品、及び／又はベース板６及び／又はカバー板７に平行の収納コンパートメント８の対称面はベース板６及び／又はカバー板７の対称面に相対して設置され、ベース板６及び／又はカバー板７に垂直の厚み３５を２分する。更に、旋回板２８又は、ベース板６及び／又はカバー板７の一部は旋回するのではなくて、少なくとも１つの収納コンパートメント８に対して変位可能なように、及び／又は変位可能に装着されるように、又はベース板６及び／又はカバー板７を受ける面で変位自在又は旋回するように構成されてよい。更に、収納コンパートメント８の少なくとも一部の断面積は日用品９及び／又は消耗品の断面積に対して低公差で構成されてよく、また、これら物品は収納コンパートメント８に摩擦係合により保持されてよい。この場合、収納コンパートメント８及び／又は日用品９及び／又は消耗品の粗面は収納コンパートメント８全体を包囲する保持領域において相対的に粗い面であってよい。
日用品９及び／又は消耗品の外形を形成する外面周縁部はベース板６及びカバー板７に略垂直に整列する。日用品９及び／又は消耗品は、例えば、やすり２２の柄部２５のように、その外周から突出しかつ凹部２４に配置される柄部を有する。かゝる柄部は、同様に凹部２４に摩擦係合により固定されてよい。すでに述べたように、収納ケース１は２つの部分で構成され、この場合、ベース板６及び／又はカバー板７は単一平面ブランクによって形成されてよい。しかしながら、ベース板６とカバー板７は、特に収納コンパートメント８を形成する中央部で、相互から所定間隔をおいて、接着剤又は溶接により結合することも可能である。曲状面の領域において、旋回板２８は、日用品、例えば、はさみ２５の係止凹部に係合する係止突部を有して、このはさみが勝手に離脱することがないようにすることができる。勿論、この収納ケース１は、例えば、射出成形により単一成形品として構成することができ、この場合、日用品９及び／又は消耗品の収納コンパートメント８は射出成形時に金型スライドにより成形される。
図３及び４において、ベース板６及びカバー板７が斜視図で示されている。ベース板６は矩形周縁の包囲面３６を有し、この包囲面は長手側面４と短手側面５を形成すると共に、接続面１８とこれからベース板厚３７だけ間隔をおいた底側１９を形成する。旋回マウント３１に対向する長手側面４に隣接して、凹溝２０があり、この凹溝は接続面１８に平行でこの接続面から底側１９の方向へ溝深さ３９だけ間隔をおいた溝ベース３８を有する。この凹溝２０は図１に示すナイフ柄部１７を収納するためのものであって、長手側面４に直角の溝幅４０を有し、かつ相互に対向して長手側面４に平行の２つの溝側面４１を有する。短手側面５の領域において、凹溝２０は段部４２を形成し、この段部は収納開口部２３の一部を形成する。段部４２に対向する凹溝２０の端部において、円弧形の曲面４３が形成されて２つの平行溝側面４１を接続している。
図１に示すやすり２２の収納開口部２３は段部４２に対向する短手側面５側に位置する。この開口部は、同様に、段部４２と凹溝２０を有する。この凹溝２０は短手側面５に垂直であり、短手側面５に対向する短手側面５側において所定間隔の部分的長さ４５をもって配置された肩部を有し、その結果としての溝深さ３９は肩部４５から面４７へ延在する凹溝２０の部分４８の部分的溝深さ４６よりも大である。この凹溝２０に平行に、その他所望の日用品９及び／又は消耗品を収納するための別の凹溝２０が延設されている。図１に示すはさみのための凹溝２０は旋回マウント３１の領域に位置する。接続面１８に平行に配置されたベース面４９は底側１９と反対方向の接続面１８の方向へ高さ５０だけ突出する。このベース面４９はベース面４９、および中心点５２を中心とした半径５１を有する接続面１８に対して垂直の案内面５３により画定されるものである。
旋回マウント３１に隣接する長手側面４の領域において、この案内面５３は案内面５３に平行に走るストップ面５４を有し、かつ長手側面４に平行に測定した場合に、中心点５２から半径５１よりも短かい間隔５６をおいて短手側面５に平行に走る端面５５を有する中心点５２は旋回マウント３１の曲状中心線５７上に位置して図１に示すように、旋回ピン３０のための曲状案内スロット３２を形成し、そしてスロット深さ５８を有する。
このスロット深さは底側１９の方向においてベース面４９に対して垂直の寸法がベース面４９と底側１９により形成されるベース高さ５９よりも小さい。しかしながら、旋回マウント３１を筒状盲穴として構成することもできる。
図１に示すはさみ２５のための凹溝２０は２つの対向するフランク面６０を有する。このフランク面は長手側面４に平行ではなく、はさみ２６の外形に対応して形成されている。図１に示すピンセット３３とつま楊子３４のための凹溝２０は相互に、また長手側面４に対して平行に延在し、旋回マウント３１と反対の短手側面５の側で、はさみ２６用の凹溝２０と旋回マウント３１に隣接する長手側面４との間に位置する。
カバー板７はスロット状の開口部６１を有し、この開口部は長手側面４に平行に、短手側面５から離れる方向へ開口部の深さ６２だけ延在して凹部２４を形成している。このスロット状開口部６１は円弧面６３により形成され、この円弧面は短手側面５から開口部の深さ６２だけ離れている。凹溝２０はスロット状開口部６１に対向する面６３から長手側面４に平行に延在している。カバー板７のスロット状開口部６１と凹溝２０はベース板６の凹溝２０と接続面１８にそれぞれ対応して、図１に示すナイフ１５のための収納コンパートメント８の一部領域を形成する。この場合、カバー板７の凹溝２０は接続面１８と共にナイフ刃部１６のための収納コンパートメント８の部分領域を形成し、スロット状開口部６１はベース板６の凹溝２０と共にナイフ柄部１７のためのコンパートメント８の部分領域を形成する。従って、スロット状開口部６１は接続面１８と上側１０を貫通する。短手側面５と長手側面４は案内プロフィル６４を介してコーナー領域２９で接続される。これは、図３に示すように、接続面１８に略垂直で中心点５２を中心とする曲率半径６６で延在する案内面６４で構成される。この場合、曲率半径６６は図３に示すベース板６の案内面５３の半径５１よりも間隔６７だけ大きい。この場合、間隔６７は、曲率面６５と同心でありかつ案内面５３の半径５１に対応する中心点５２からの半径６９を有する面６８を分離する。長手側面４に合致する領域で、案内面６５は円弧状の凹部７０を有し、この凹部は面６８に対向する案内面６５の上方へ突出している。案内装置７１は旋回板２８のために構成されており、案内面５３、案内面６５及びリング面７２をもって形成され、接続面１８に平行であって、中心点５２を中心とした円弧形であり、そして面６８と案内面６５をもって形成されている。図１に示すやすり２２、ピンセット２３、つま楊子３４等のための凹溝２０はスロット状開口部６１を有する短手側面５と反対の短手側面５に示されている。これら凹溝２０は上側１０を部分的に貫通する凹部２４を有して用具及びその柄部を掴み易くする。
図５及び６はそれぞれ旋回板２８の斜視図およびその一部断面図である。図５および６は旋回板２８が案内構成７１においてどのように案内されるかを示すものである。案内装置はカバー板７に配設された案内面６５とリング面７２により形成され、案内面６５は上側１０に垂直であり、リング面７２は上側１０に平行である。リング面７２と旋回板２８の上側７３のカバー領域は間隔６７をもって形成されており、上側１０の方向への旋回板２８の移動を禁止している。ベース板６は既に説明した案内面５３を有し、この案内面は接続面１８の上方、カバー板７の上側１０の方向へ高さ５０だけ突出している。この案内面５３はリング内面７４に沿って延在する。このリング内面は支持板２８の上側７３に平行の内側７５に垂直であり、かつ支持板２８を越えて接続面１８の方向へ突出する。この結果、案内構成７１により案内されるリング状カラー７６が形成され、これによりベース板６方向への旋回板２８の移動が禁止される。カラー７６は内面７８と図３に示すストップ面５４から成るストッパを形成するウエブ７７を有する。カラー７６に対向するリング外面７９を越えて突出して図４に示す凹部７０と共にストップを形成する延在部８０がカラー７６の領域においてカラー７６を形成するリング外面７９の外側に設けられている。
図７乃至１５において、凹溝２０が相応する大きさで示されている。ナイフ凹溝８１は凹溝２０を形成して長手側面４に隣接して配置され、溝幅８２を有し、この溝幅は幅２に平行に測定して１２．８３mmである。溝側面８３は長手側面４と平行に延在してこの側面４から３７．３mmの間隔をもって離れた位置にある。幅２は５４mm、長さ３は８２mmであることが好ましい。ナイフ凹溝８１は短手側面５からこれと反対の短手側面５の方向へ所定深さをもって突出し、それにより面８５が短手側面５の方向でこのナイフ凹溝８１を形成して円形、好ましくは円弧状に延在する。この円弧面８５の中心点は短手側面５から３５mmの間隔８６をもって離れている。このナイフ凹溝８１の溝ベース８７は接続面１８に平行で、底側１９の方向へ１mmの溝深さ８８をもって離れた位置にある。
別の凹溝２０は針凹溝８９を形成する。この溝は短手側面５からこれと反対の短手側面５の方向へ角度をもって延在し、この針凹溝８９の中心線９０は短手側面５に垂直の人工線と３．５°の角度９１を形成する。この針凹溝８９の入口は短手側面５の領域に位置して長手側面４から５．１７mmの間隔９２をもって離れている。この針凹溝８９の長さ９３は３３mmであり、その溝幅９４は図１４に示すように長手側面４に垂直に測定して０．８mmであって、底側１９に対面するその端領域は半円形ベースとなっており、このベースの中心点は接続面１８から底側１９の方向へ０．４mmの深さ９５をもって離れた位置にある。
別の凹溝２０を形成するやすり凹溝９６は溝側面９７をもって長手側面４から３５．５mmの間隔９８だけ離れた位置にあり、これに平行に測定した溝幅９９は７mmである。更にこの凹溝９６は長手側面４に平行に測定して５８．５mmの溝長１００を有し、この溝は短手側面５からこれと反対の短手側面５の方向へ延在する。図１０に示すように、やすり凹溝９６は短手側面５からこれと反対の短手側面５の方向へ間隔１０１をもって２０mm長の肩部４５を有し、この間隔１０１内に溝ベース１０２が接続面１８から底側１９の方向へ１．２mmの溝深さ１０３をもって延在し、そして肩部４５からやすり凹溝９６の端領域方向において０．７mmの溝深さ１０４を有する。
やすり凹溝９６と並んで、別の用具溝１０５が配置されており、この溝は短手側面５からこれと反対の短手側面５の方向へ延在して円弧状の端部を有し、この端部の中心点は短手側面５から溝長１０６だけ離れた位置にあり、短手側面５からの間隔は５２mmである。この用具溝１０５の溝側面１０７は長手側面４から２４．５mmの間隔１０８だけ離れた位置にあって、２．２mmの溝幅１０９を有する。更にこの用具溝は図１１に示すように、接続面１８から底側１９へ１．１mmの溝深さ１１０を有する。
別の凹溝２０を形成するはさみ凹溝１１１は溝側面１１２を有し、これは長手側面４と平行に測定してこの側面４から１３．５mmの間隔１１３だけ離れた位置にある。このはさみ凹溝１１１の面領域１１４は円弧状の面１１５を有し、その中心点は短手側面５から７５mmの間隔１１６だけ離れている。溝側面１１７は円弧状面１１５から短手側面５の方向において平行の溝側面１１２にまで、即ち、４２．５９mmの間隔１１８まで延在する。この領域からこの側面１１７は短手側面５の方向において広がり、短手側面５から１２．５２mmの間隔１１９の領域において長手側面４から２６．６７mmの間隔１２０を有し、この間隔１２０から更に短手側面５の方向へ広がり、収納開口部２３の端縁１２１が長手側面４から３０．４３mmの間隔１２２をもって離れて位置する。このはさみ凹溝１１１の溝ベース１２３は図１２に示すように、接続面１８から底側１９の方向へ１．２mmの溝深さ１２４をもって離れた位置にある。底側１９と平行のベース面４９は図１３に示すように、底側１９から３mmのベース高さ５９をもって離れた位置にある。
図１１に示すように、すでに説明した用具凹溝１０５の溝ベース１２５は接続面１８から底側１９の方向へ１．１mmの溝深さ１２６をもって離れた位置にある。ピンセット凹溝１２７は短手側面５から４７mmの溝長さ１２８をもって延在し、これはつま楊子３４の凹溝２０のそれと同じである。その溝幅１２９は３．３mmであり、溝深さ１３０は０．６mmである。旋回マウント３１は湾曲した細長い穴として構成されており、中心点１３３から半径１３２を有する曲状の中心線１３１を有する。この中心点１３３は長手側面４及び短手側面５の方向へ３．５mmの間隔１３４をもって位置する。この中心点から案内面５３を形成する半径５１は２９mmである。この旋回マウント３１は図１５に示すように、２．５mmの溝幅１３５と２．２mmの溝深さ１３６を有する。
図１６乃至２４において、カバー板７が詳細に示されている。既に説明したように、スロット状の凹部６１は長手側面４に平行に、短手側面５には垂直に、そしてこの短手側面５から反対の短手側面５の方向へ延在している。この開口部６１は凹部２４を形成すると共に円弧状の面６３を有し、その中心点は短手側面５から３５mmの間隔１３７をもって離れて位置する。この凹溝２０の端面１３８は端面６３から短手側面５の方向へ延在してナイフ凹溝８１、特に図１に示すナイフ刃部１６のための凹溝を形成する。この端面１３８は短手側面５から７７．５mmの間隔１３９を置く。この場合、このナイフ凹溝８１は接続面１８から上側１０の方向へ０．６mmの溝深さ１４０を有する。更に、このナイフ凹溝８１は図２３に示すように、短手側面５に平行に測定して８．３mmの溝幅１４１を有し、そして凹部２４はこの溝幅１４１に平行に測定して１３mmの凹部幅１４２を有する。相互に平行に延在して凹部幅１４１により分離された２つの凹部側面１４３は接続面１８に垂直であり、この接続面から上側１０の方向へ延在して０．７mmの深さ１４４を有し、かつ上側１０側に１．５mmの半径１４５の円弧状部を有する。上側１０の領域における開口部１４６の幅は約１１．５mmである。やすり凹溝９６はナイフ凹溝８１に隣接し、短手側面５から５８．５mmの溝長さ１４７を有する。このやすり凹溝９６は肩部４５を有し、肩部４５は図１９に示すように、短手側面５から２０mmの長さ１４８である。この領域において、やすり凹溝９６は接続面１８から上側１０の方向への１．２mmの溝深さ１４９と別の溝深１５０を有し、溝深さ１５０は肩部４５からやすり凹溝９６の端部の方向へ延在する溝ベースを接続面１８から上側１０の方向へ分離するものであって、これは０．７mmのものである。
上側１０は長さ１４８の領域においてスロープ部１５１を有する。やすり凹溝９６の凹部２４は短手側面５から４mmの深さ１５２で突入している。相互に対向して長手側面４に平行に延在する２つの溝側面１５３は７mmの間隔１５４を置く。図２４に示すように、スロープ部１５１は短手側面５から上側１０の方向へ８．７°の角度１５５で傾斜して上側１０において６．５mmの長さ１５６で開いている。この用具溝１０５はやすり凹溝９６と平行に位置して凹部２４を有し、この凹部は短手側面５から反対の短手側面５の方向へ深さ１５２で突入している。この用具溝１０５は短手側面５に平行で、２．２mmの溝幅１５７を有する。更にこの溝は短手側面５から反対の短手側面５の方向へ突入し、その端部が半円形とされてその中心点は短手側面５から５２mmの間隔１５８に位置する。図２０に示すように、接続面１８から上側１０の方向への用具凹溝１０５の溝深さ１５９は１．１mmである。この凹溝２０における上側１０にはスロープ部１５１が同様に設けられている。
案内面６５は円弧形でその中心点から２９mmの曲率半径６６を有すると共に短手側面５からスロット状開口部６１に隣接して延在する。その中心点５２は長手側面４及び短手側面５からそれぞれ３．５mmの間隔１６０に位置する。この案内面６５と同心の面６８は中心点５２まで２８mmである。
はさみ凹溝１１１は長手側面４に平行であり、長手側面４に垂直に１３．５mmの間隔１６１で延在し、溝側面１６２に対面する溝側面１６３は長手側面４に平行にはさみ凹溝１１１の端領域から、短手側面５からこの端領域方向に測定して４２．５９mmの深さ１６４まで延在する。この深さから溝側面１６３は案内面６５の方向に広がり、曲面１６５を有する。この曲面ははさみ凹溝１１１を９０mmの半径１６６をもって凸形に広げる。はさみ凹溝１１１の溝幅１６７は９mmである。図１に示すピンセット凹溝１６７とつま楊子３４の凹溝２０は両者とも短手側面５から長手側面４に平行に測定して４７mmの長さ１６８を有する。これら２つの凹溝２０の凹部２４はスロープ部１５１の場合と同様、既に説明した実施形態の場合と同じである。これら２つの凹溝２０の溝深さ１６９は０．６mmである。カバー板７の幅２は約５２．８mm、長さ３は約８２mmである。はさみ凹溝１１１の溝深さ１７０は１mmである。
図２５及び２６において、旋回板２８の詳細な寸法が示されている。リング外面７９は中心点１７２から２９mmの半径１７１で延在する。中心点は相互に垂直な面１７４から３．５mmの間隔１７３をもって配置されている。このリング内面７４の半径１７５は中心点１７２から測定されている。旋回ピン３０は間隔１７３と８mm相当の間隔１７６との交点に配置され、中心点１７２から偏心している。面１７４からリング内面７４の内側縁１７７までの間隔は３１．０５mmである。この間隔と平行に且つ面１７４から測定した外側間隔１７８はリング外面７９を形成しかつ３２．７７mmである。面１７４から外側間隔１７８に平行に測定した最外点８０までの間隔１７９は約３３．０５mmである。
旋回板２８の上側１０は段部１８０を有し、この段部を通ってリング面１８１が０．７mmの深さ１８２で形成されている。旋回ピン３０の面１８３は上側７３から約３．４mmの高さ１８４に位置する。旋回ピン３０の直径１８５は２．３mmである。カラー７６は内側７５上に突出して上側７３に平行であり、高さ１８６は１mmである。上側７３は内側７５から１．２mmの厚さ１８７に位置する。破線で示すウエブ７７は２mmのウエブ幅１８８を有してリング外面７９から面１７４の方向へ約５．５mmの長さ１８９をもって突出している。この形態に関しては、すべての寸法は任意に変更が可能であることは言うまでもない。
図２７乃至３１において、収納ケース１の他の実施形態が示されている。この場合、例えば、複数のチュウインガムを保持するための数個の収納コンパートメント８は相互に長さ２の方向に分離していてよい。これら収納コンバートメント８は収納ケース１の幅２に平行に配置される。しかし、これらは長さ３に平行に配置することもできる。この場合、収納開口部２３に対向する領域は別の日用品９のための収納コンパートメント８となっている。特に、ベース板６はボックス形の中心ウエブ１９１と幅２をもって間隔をおいた２つの側方ウエブ１９２で構成することができる。側方ウエブ１９２は各々肩部１９３を有し、これら肩部は長さ３に平行に延在して上側１０から底側１９へ肩深さ１９４だけ突出している。カバー板７は、例えば、フィルム形態で、この肩部に配置される。
図３１は別の実施形態を示し、ここでは複数のチュウインガム１９０が長さ３に平行に配置され、つま楊子３４が収納ケース１の幅２に平行に、収納開口部２３に対向する領域に配置される。
図３２乃至３４において、収納ケース１の更に他の実施形態が示されている。この場合、収納ケース１は３つの部分で構成される。カバー板７とベース板６は中心部材１９５で分離される。この場合、中心部材１９５は図１に示す日用品９又は消耗品を収納するための凹部１９６を有する。この中心部材１９５は縁たな１９７を有し、この縁たなは縁たな高さ１９８を有する。ウエブ１９９が凹部１９６の方向へ突出し、縁たな高さ１９８よりも小なるウエブ高さ２００を有し、好ましくは縁たな１９７上に位置してこれと一体的に接続されている。この結果、既に説明した肩部１９３はベース板６又はカバー板７を受ける構成になっている。肩部深さ１９４の２倍とウエブ高さ２００の合計は縁たな高さ１９８となり、肩部深さ１９４はカバー板６の厚さ３７に相当する。
図３５乃至４０において、ベース板６の更に他の実施形態が示されている。凹溝２０により形成される収納コンパートメント８の区画は少なくとも部分的にはコンパートメント・ウエブ２０１により区分される。ここでは凹溝２０はナイフ凹溝８１、針凹溝８９、やすり凹溝９６、ピンセット凹溝１２７、はさみ凹溝１１１、つま楊子凹溝２０２及びボールペン凹溝２０３を形成する。針凹溝８９のためのコンパートメント・ウエブ２０１は部分ウエブ２０４により部分的に区分される。この部分ウエブ２０４は短手側面５に対する角度をもって相互にフィットし、短手側面５に平行の溝幅９４により分離している。この溝幅は針２０５の直径よりも小さく、この針凹溝８９に針が挿入できるようになっている。この角度を付けた部分ウエブ２０４により、針２０５は針凹溝８９に挿入されると、短手側面５に隣接する第１の部分ウエブ２０４によりこれに対向する部分ウエブ２０４の方向へ回動され、次いでそこから短手側面５から最も遠い部分ウエブ２０４へ回動して戻されるという摩擦グリップにより保持される。このようにして、針凹溝８９の弾性変形部により針２０５がこの溝８９に自動的に保持されるようになっている。
ナイフ凹溝８１は、特にナイフ柄部１７を装着するための区画は、ストップ・ウエブ２０６を含み、このウエブは曲面４３を形成してナイフ柄部１７が針２０５の収納開口部２３の方向へ入ることを禁止する。このストップ・ウエブ２０６に接続して、クランプ・ウエブ２０７が長手側面４に平行に針２０５の収納開口部２３の方向へ延在している。このクランプ・ウエブ２０７は図３６に示すように、クランプ面２０８を形成し、これが底側１９に平行のベース面２０９に対して傾斜している。このクランプ面２０８はストップ・ウエブ２０６の領域において、針２０５の収納開口部２３を有する短手側面５の方向へ高さ２１０だけ間隔をおく。このナイフ凹溝８１の溝ベース３８には保持突部２１１が配置されて、これが底側１９と反対側の溝ベース３８にわたって突出している。このナイフ凹溝８１の収納開口部２３の領域において、センタリング・ウエブ２１２が配置されており、これは長手側面４と平行に延在し、長手側面４と短手側面５との間のコーナーで長手側面４に直角の自由位置幅２１３を有する自由位置の長手側面４近傍に配置されている。このナイフ凹溝８１のコンパートメント・ウエブ２０１は相互に長手側面４に平行に延在し、特にナイフ柄部１７の領域において、短手側面５に平行の溝幅４０により相互から離れて位置する。
ナイフ凹溝８１の収納開口部２３ははさみ凹溝１１１に隣接して短手側面に直角のセンタリング・ウエブ２１５を有する。長手側面４は、また、これと、はり２０５の収納開口部２３を有する短手側面５との間のコーナーにセンタリング・ウエブ２１２を備えた自由位置２１４を有する。
ストップ・ウエブ２０６は図３８に示すように、ベース面２０９に対して約３°乃至２５°の角度２１６の傾斜面２１６を有する。センタリング・ウエブ２１２と２１５は底側１９に対して直角のセンタリング・ウエブ高さ２１７を有し、これは長手ウエブ２１９として設計されるコンパートメント・ウエブ２０１のウエブ高さ１１８よりも小さい。
針２０５の収納開口部２３を有する短手側面５の領域において、やすり２２のための収納コンパートメント８の収納開口部２３が配置されている。このやすり凹溝９６もまた保持突部２１１を有し、収納開口部２３の領域において短手側面５に直角のセンタリング・ウエブ２２０により区分されている。短手側面５に直角の深さ２２１には、短手側面５に平行のストップ・ウエブ２２２が延在し、これが短手側面５に直角のクランプ・ウエブ２２３に接続している。センタリング・ウエブ２２０はセンタリング・ウエブ高さ２２４をもって溝ベース３８から底側１９の反対方向に立ち上がっている。このセンタリング・ウエブ高さ２２４はこれに平行な長手ウエブ２１９のウエブ高さ１１８よりも小さい。
やすり凹溝９６とはさみ凹溝１１１との間にはピンセット凹溝１２７がある。ピンセット凹溝１２７の収納開口部２３は相互に平行で短手側面５に直角の２つのセンタリング・ウエブ２２０により部分的に区分されている。このセンタリング・ウエブはやすり凹溝９６を短手側面５からこれに直角にウエブ長さ２２５まで区分する。このウエブ長さ２２５に接続して短手側面に直角に長手ウエブ２２６が延在している。このウエブ２２６は図４０に示すように、溝ベース３８に直角のウエブ高さ２２７をもって底側１９とは反対の方向に延在し、その高さはこれに平行のセンタリング・ウエブ高さ２２４よりも大である。ピンセット凹溝１２７の収納開口部２３は更に短手ウエブ２２８により底側１９の方向へ区分されている。この短手ウエブ２２８はピンセット凹溝１２７の溝幅１２９全体にわたって延在して短手ウエブ高さ２２９を有し、その高さはセンタリング・ウエブ高さ２２６又はウエブ高さ２２７よりも小である。長手ウエブ２２６に平行のクランプ・ウエブ２３０は短手ウエブ２２８から延在して溝幅１２９を２分する。
例えば、針２０５の収納開口部２３を有する短手側面５と反対の短手側面５にははさみ凹溝１１１がある。ナイフ凹溝８１の方向において、この凹溝１１１は短手側面５に対して凹形の曲状ウエブ２３１により区分されている。ナイフ凹溝８１から離れた側でこの曲状ウエブ２３１はフランク面６０を形成する。ピンセット凹溝１２７から離れた側でこのはさみ凹溝１１１は長手ウエブ２３２を有する。このウエブ２３２は付形部２３３を有し、これは長手ウエブ２３２のフランク面６０の曲状ウエブ２３１の方向へ深さ２３４だけ突出している。はさみ凹溝１１１の収納開口部２３に対向する端領域には半円形のストップ・ウエブ２３５がある。
はさみ凹溝１１１の収納開口部２３を有する短手側面５と反対の短手側面５には、つま楊子凹溝２０２の収納開口部２３の一部がある。この収納開口部２３の区画は２つのセンタリング・ウエブ２２０により短手側面５とこれに平行の短手ウエブ２２８に直角に区分されている。センタリング・ウエブ２２０はクランプ・ウエブ２３０により２分される溝幅２３６により相互に分離されている。このクランプ・ウエブ２３０は短手側面５から直角に延在してウエブ長さ２３７により区分され、その上に第２の短手ウエブ２２８が短手側面５に平行に配置されている。
例えば、つま楊子凹溝２０２又はピンセット凹溝１２７の収納開口部２３の区画を有する短手側面５には、ボールペン凹溝２０３の収納開口部２３の区画がある。この区画は短手側面５から直角にウエブ長２２５まで延在するセンタリング・ウエブ２３８により一部が区分されている。センタリング・ウエブ２３８に接続して、即ち、ウエブ長さ２２５に接続して、長手ウエブ２３９が相互に対称的に曲状に延在して長手側面４に隣接するボールペン凹溝２０３の収納開口部２３が長手側面４から間隔２４０をおき、この間隔は短手側面５に平行であって、ボールペン凹溝２０３の端領域２４２において長手側面４に隣接する長手ウエブ２３９の間隔２４１よりも小さい。このように、ボールペンをボールペン凹溝２０３に挿入すると、凹溝２０３は弾性変形してボールペンはボールペン凹溝２０３に自動的に保持される。接続ウエブ２４３もまた重要である。これははさみ凹溝１１１の長手ウエブ２３２とボールペン凹溝２０３の隣接長手ウエブ２３９との間に延在して付形部２３３の領域に配置されている。長手側面４と短手側面５との間のコーナーには旋回マウント３１があり、これはこの実施形態では旋回ベアリング・ボア２４４により形成されている。
図４１乃至４６において、カバー板７が示されている。これは平行な長手側面４とこれに垂直で相互に平行な短手側面５とで構成されている。長手側面４に沿って、センタリング・ウエブ２４５が延在しており、これはコーナー領域においてセンタリング延在部２４７を有する。長手側面４は上側１０に対して傾斜した傾斜面１１を有する。センタリング延在部２４７を画定する内側２４８は上側に対向してこれに平行であり、これは上側１０から高さ２４９の間隔で位置する。この高さ２４９は図２に示す収納ケース１の厚み３５を形成し、センタリング延在部２４７は図３５に示すベース板６の自由位置２１４に係合して底側１９と共に平らに閉まる。
カバー板７はナイフ刃部１６の凹溝２０のための開口部６１を有し、この開口部６１はナイフ柄部１７を収納するためのものである。この開口部６１は図４３に示すように、長手側面４に一部平行な境界ウエブ２５０により形成され、そして短手側面５の方向で面６３により形成されている。境界ウエブ２５０、特に相互に且つ長手側面４に平行の２つの長手ウエブ２５１により構成されるこのウエブは、対向する内面２５２を有し、この内面は上側１０に直角の垂直面２５３と上側１０の方向の曲状面２５４により形成される。従って、長手側面４に直角で垂直面２５３間の開口部幅２５５は上側１０の曲状面２５４間で開口部幅２５５と平行の幅２５６よりも大きい。
長手ウエブ２５１に接続して曲状ウエブ２５７があり、これに長手ウエブ２５８が開口部６１に対向する位置で接続している。この長手ウエブ２５８の１つは長手側面４又はこれに平行のセンタリング・ウエブ２４５に隣接して、他方の長手ウエブ２５８よりも短かく、この他方の長手ウエブはセンタリング・ウエブ２４５よりも長い。カバー板７に配置されたナイフ凹溝８１の溝ベース３８は一部が上側１０に対して傾斜している。
長手側面４の反対方向にはやすり凹溝９６がカバー板７に配置されている。これはウエブ状のセンタリング凹部２５９により形成されている。このウエブ状センタリング凹部２５９に接続して長手ウエブ２６０が長手側面４に平行に延在して、凹部２４を凹面２６２の深さ２６１をもって形成する。この凹部はナイフ１５、特にナイフ柄部１７のための開口部６１を短手側面５と反対の第２短手側面５に有する。短手ウエブ２６３が長手ウエブ２６０に直角に配置されている。この短手ウエブ２６３から凹部２４の反対方向にクランプ・ウエブ２６４がやすり凹溝９６の溝幅９９を２分して延在する。凹面２６２は短手側面５から反対方向の短手側面５へ面深さ２６５をもって位置する。相隣る凹溝２０はピンセット凹溝１２７である。これもまた凹部２４を有し、その凹面２６２は短手側面５から面深さ２６５をもって位置する。
ピンセット凹溝１２７もまたウエブ状センタリング凹部２５９により形成される。更にこれはやすり凹溝９６の長手ウエブ２６０及びはさみ凹溝１１１の長手ウエブ２６６により形成される。このウエブ状センタリング凹部２５９は図４６に示すように、ベース面２６８から離れて上側１０に平行で、高さ２６９の上側２６７を有する。更にこのセンタリング凹部２５９は深さ２７０をもって延在し、これに接続して長手ウエブ２６０がベース面２６８からウエブ高さ２７１をもって延在している。このウエブ高さ２７１は高さ２６９よりも大である。別の凹溝２０がはさみ凹溝１１１によりこのカバー板７に形成されている。この凹溝は一部がピンセット凹溝１２７を区分する長手ウエブ２６６により形成されており、これは四分円凹部２７２の方向において曲状通路を有して、円形案内ウエブ２７３に連続する。ウエブ２７３は旋回板２８の案内面６５を形成する。この案内面６５は想像中心点５２から曲率半径６６をもって延在する。上側１０の領域において、この案内面６５はウエブ２７４を有し、このウエブは中心点５２の方向において案内面６５に対して直角に突出しかつ上側１０に対面する案内面６５に直角のリング面７２を有する。
ナイフ柄部１７の開口部６１の長手ウエブ２５１もまたウエブ状センタリング凹部２５９を有する。やすり凹溝９６、特に図４４に示すように、短手ウエブ２６３及びクランプ・ウエブ２６４は上側１０に平行のベアリング面２７６から上側１０の反対方向へ高さ２７７をもって位置する。
別の凹溝２０はつま楊子凹溝を形成する。これもまた凹部２４を含み、この凹部は短手側面５から略四分円凹部２７２の方向へ深さ２６５をもって位置する凹面２６２により形成される。
つま楊子凹溝２０２は短手側面５に直角の２つの平行な長手ウエブ２７８により形成される。凹部２４に帰因する長手ウエブ２７８の部分はウエブ状センタリング凹部２５９を形成する。更に、このつま楊子凹溝２０２には保持突部２１１がある。つま楊子凹溝２０２のセンタリング凹部２５９とピンセット凹溝１２７の相隣るセンタリング凹溝２５９との間には短手側面５に平行のセンタリング・ウエブ２７９がある。センタリング・ウエブ２７９はまた長手側面４に隣接するやすり凹溝９６のセンタリング凹部２５９からセンタリング延在部２４７の方向へ延在する。長手側面４から最も離れた凹溝２０はボールペン凹溝２０３を形成する。これもまた凹部２４を有する。この凹部２４はウエブ状センタリング凹部２５９により形成される。短手側面５と長手側面４との間のコーナー部にはセンタリング延在部２８０が四分円状に延在している。つま楊子凹溝２０２はすでに説明したように、保持突部２１１を有し、これは図４５に示すように、上側１０に平行のベース面２８１からこの上側１０とは反対方向へ突部高さ２８２をもって突出している。更に、図４７及び４８において、旋回板２８の他の実施形態が示されている。旋回ピン３０は相互に９０°ずらしたピン・ウエブ２８３で形成されており、旋回板２８の内側７５にて上側７３から反対方向へ突出している。このように、これらピン・ウエブは上側７３から高さ１８４をもって延在する。内側７５にはストップ・ウエブ２８４が形成されており、これはリング外面７９からピン・ウエブ２８３の方向へ突出している。更に、旋回板２８は上側７３に平行のリング面１８１により形成された段部１８０を有する。この旋回板２８はまた上側とは反対の内側７５上で突出するストップ・ウエブ２８６で形成された旋回ストップ２８５を有する。
この収納ケース１の組立は次のようにして行われる。最初に旋回板２８をべース板６上に配置して、旋回ピン３０を形成するピン・ウエブ２８３を旋回ベアリング・ボア２４４に挿入する。ピン・ウエブ２８３は対面方向へ弾性変形し、図４８に示すように、制動突起２８７により内側７５に直角の方向、即ち、軸方向の移動が禁止され、旋回ベアリング・ボア２４４からの自動離脱が防止される。これで旋回板２８は曲状ウエブ２３１に沿って約４５°の角度で旋回することができ、旋回ストップ２８５が図３５に示す旋回ベアリング・ボア２４４の領域に配置された境界ウエブ２８８に当たるまで旋回することができる。旋回板２８を戻して面１７４を長手側面４又は短手側面５に合致させると、ストップ・ウエブ２８４は長手側面４に沿って延在する縁ウエブ２９０に配置された図３５に示す付形部２８９に入り込む。
ピン・ウエブ２８３を旋回ベアリング・ボア２４４に挿入することで旋回板２８がベース板６に固定されると、カバー板７をベース板６にフィットすることができる。この場合、図４３に示すように、センタリング延在部２４７はベース板６の自由位置２１４に挿入される。更に、例えば、センタリング・ウエブ２１５は図３５に示すように、センタリング凹部２５９との合致位置に来る。更に、図４１に示すように、曲状部６６のパート・ウエブ２９１は図３５に示す接続ウエブ２４３に係合してストップすると、ベース板６とカバー板７の平行移動が禁止される。この移動は図４１に示す案内ウエブ２７３によっても禁止される。即ち、案内ウエブ２７３の案内面６５が図３５に示すように、曲状ウエブ２３１のフランク面６０から離れた面に接触すると、カバー板７とベース板６は相互に対して特定位置に固定される。
図４９において一例として、収納ケース１におけるナイフ１５の配置が示されている。ここではナイフ、特にナイフ柄部１７は付形部２９２を有し、これに保持突部２１１が係合して収納ケース１に対するナイフの移動を禁止している。
材料の選択、とりわけ、異なるウエブ又は接続ウエブ並びにベース及びカバー板６、７の壁厚を決定することにより、その弾性度の選択が可能であり、日用品及び／又は消耗品の保持又は固定のために使用することができる。
例えば、ナイフ１５を収納ケース１に挿入する場合、これを保持突部２１１に抗して押し込むと、自己回復力により弾性変形し、ベース及びカバー板６、７はは撓んで保持突部２１１がナイフ柄部１７の付形部２９２に係合する。
ベース板６とカバー板７の接続は接着剤または超音波溶着等により行うことができる。
図５０において、収納ケース１が組立状態で示されている。ここではカバー板７とベース板６がナイフ柄部１７の領域でナイフ凹溝８１を如何にして形成するかを示すものである。ナイフ柄部１７はナイフ凹溝８１の開口部幅２５５に相当するナイフ柄部幅２９３により区分される。このナイフ柄部幅２９３は開口部６１の幅２５６よりも小さい。このようにして、ナイフ柄部１７は上側１０に対する直角移動が禁止される。
図５１においては、ナイフ１５が収納ケース１に配置されてナイフ柄部１７のみがナイフ凹溝８１、特に開口部６１の領域に配置された状態を示すものである。ナイフ刃部１６はナイフ１５の収納コンパートメント８の反対方向へ突出している。ナイフ柄部１７の上側１０に対する直角移動を阻止して装着又は固定する手法は図５０において説明されている。ナイフ１５の収納コンパートメント８の反対方向への、上側１０に対する平行移動を阻止する装着又は固定はナイフ柄部１７に設けた付形部２９２に係合する保持突部２１１によりなされる。そのために、このナイフ柄部１７はその両面に設けられた２つの付形部２９２を含む。このようにして、ナイフ柄部１７は収納ケース１内において、ナイフ刃部１６を収納ケース１から突出した状態で使用することができ、ナイフ柄部１７の使い勝手が一段とよくなる。特にこのナイフをレター・オプナーとして使用する場合に便利である。
図５２及び５３において、ベース板６の更に他の実施形態が示されている。凹溝２０により形成される収納コンパートメント８の区画は少なくともコンパートメントウエブ２０１により決定される。ここでは、凹溝２０はナイフ凹溝８１、針凹溝８９、やすり凹溝９６、ピンセット凹溝１２７、はさみ凹溝１１１、日用品９として図１に示すつま楊子３４のための凹溝２０により形成されるつま楊子凹溝２０２、及び凹溝２０により形成されるボールペン凹溝２０３を形成する。針凹溝８９のためのコンパートメント・ウエブ２０１は、短手側面５に直角のパート・ウエブ２０４であって短手側面５に平行の溝幅９４により相互から分離したウエブ２０４により部分的に形成される。この溝幅９４は針凹溝８９に挿入される針２０５の直径よりも小さい。針２０５は、既に説明したように、弾性変形して針凹溝８９に挿入と同時に保持される。
ナイフ凹溝８１、特にナイフ柄部１７を保持するための部分は、針２０５の収納開口部２３の方向へのナイフ柄部１７の侵入を禁止する曲面４３を形成するストップ・ウエブ２０６を含む。このストップ・ウエブ２０６に接続してクランプ・ウエブ２０７が長手側面４に平行に針２０５の収納開口部の方向へ延在している。ナイフ凹溝８１の収納開口部２３の領域には、長手側面４に平行のセンタリング・ウエブ２１２が配置されている。これは、長手側面４と短手側面５との間のコーナーに配置された自由位置２１４に自由位置幅２１３により長手側面４から直角に配置されている。ナイフ凹溝８１のための長手ウエブ２１９は、特にナイフ柄部１７の領域において、相互に長手側面４に平行に延在しているが、これらウエブ２１９は短手側面５に平行の幅により相互から分離されており、この幅は溝幅４０よりも大きい。
ナイフ凹溝８１の収納開口部２３ははさみ凹溝１１１に隣接して短手側面５に垂直のセンタリング・ウエブ２１５を有する。ベース板６もまた接続ウエブ２９４を有し、このうちの２つはナイフ凹溝８１の収納開口部２３の領域に配置されている。これらウエブは長手側面４に平行に延在して針凹溝８９の方向においてセンタリング・ウエブ２１２及び２１５に接続し、そして相互に対向する内面２９５の溝幅４０により分離されて溝ベース３８に垂直である。この接続ウエブ２９４は溝ベース３８から底側１９までの接続ウエブ高さ２９６を有して底側１９の反対側で接続ウエブ上側２９７を形成している。長手ウエブ２１９は内面２９５から延在して溝幅４０に平行のギャップ幅２９８をもって分離されている。例えば、針２０５の収納開口部２３を含む短手側面５と反対の短手側面５にははさみ凹溝１１１のための収納開口部がある。この収納開口部２３はナイフ凹溝８１の方向において短手側面５に対して凹状の曲状ウエブ２３１により区分されている。ナイフ凹溝８１の反対側で曲状ウエブ２３１はフランク面６０を形成している。ピンセット凹溝１２７と反対側のはさみ凹溝１１１側に長手ウエブ２３２が延在し、これはその一部に、曲状ウエブ２３１のフランク面６０に対向するフランク面６０から短手側面５に平行の深さ２３４をもって突出した付形部２３３を有する。この付形部２３３は図１に示すはさみを破線をもって装着するものである。はさみ凹溝１１１の収納開口部２３に対向する端部領域には半円形のストップ・ウエブ２３５がある。フランク面６０の反対領域で曲状ウエブ２３１と同心に別の接続ウエブ２９４があり、これは底側１９からトータル高さ２９９の接続ウエブ上側２９７により形成されている。このトータル高さ２９９は溝ベース３８を底側１９から分離する溝ベース厚さ３００に接続ウエブ高さ２９６を加えたものに相当する。更に接続ウエブ２９４が短手側面５に平行のナイフ凹溝８１の収納開口部２３に対向する端領域に配置されて、やすり凹溝９６とつま楊子凹溝２０２を横方向に区分してピンセット凹溝１２７に平行のセンタリング・ウエブ２２０に接続している。
図５４及び５５において、カバー板７の更に他の実施形態が示されている。これは平行長手側面４とこれに垂直で相互に平行の短手側面５で形成される。長手側面４に沿って、コーナー部２４６にセンタリング延在部２４７を含むセンタリング・ウエブ２４５が延在する。この長手側面４は上側１０に対して傾斜する傾斜面１１を有する。
このカバー板７は図１にしますナイフ刃部１５の凹溝２０のための開口部６１を含み、この開口部６１はナイフ柄部１７を収納するためのものである。この開口部６１は、長手側面４に一部が平行で面６３を通って短手側面５の方向へ延在する境界ウエブ２５０により区分されている。この境界ウエブ２５０は、特に相互に長手側面４に平行に延在して境界ウエブ２５０の部分を形成するものであり、対向する内側２５２を含む。この内側面２５２から離れた領域、特にセンタリング・ウエブ２４５と長手ウエブ２５１との間並びに別の長手ウエブ２５１と図４７に示す左旋回板２８のための案内ウエブ２７３との間に、接続ウエブ３０１が延在しており、これは上側１０の反対側でこれからウエブ高さ３０３をもって位置するウエブ下側３０２により区分されている。
長手ウエブ２５１に接続して曲状ウエブ２５７が延在しており、これは開口部６１の反対側で、長手側面４又はセンタリング・ウエブ２４５に隣接する短かい方の長手ウエブ２５８に接続している。長手側面４に平行に、この短手の長手ウエブ２５８に整列して他の接続ウエブ３０１が延在している。開口部６１に対向する短手側面５は図５２に示す針２０５の収納開口部２３を有する。この収納開口部２３には針ウエブ３０４が配置されており、これは曲状通路を有する上側１０から離れたウエブ面３０５を有して針２０５の横断面を形成するケース面に部分的な包囲ベアリングを提供している。この収納開口部２３はセンタリング延在部２４７に対向するセンタリング・ウエブ２７９により形成される。
長手側面４の反対方向にはやすり凹溝９６がこのカバー板７に配置されている。このやすり凹溝９６はセンタリング凹部２５９により形成された凹部２４を有する。ウエブ状センタリング凹部２５９に接続して長手ウエブ２６０が長手側面４に平行に延在している。凹部２４を形成する凹部前面２６２から深さ２６１をもって、短手側面５からナイフ１５、特にナイフ柄部１７が配置される開口部６１のある短手側面５の方向に短手ウエブ２６３がこの長手ウエブ２６０に垂直に配置されている。この短手ウエブ２６３からはクランプ・ウエブ２６４が凹部２４の反対方向へやすり凹溝９６の溝幅９９を２分して延在している。凹部面２６２は短手側面５から面深さ２６５をもって反対の短手側面の方向に離れて位置する。ナイフ凹溝８１の長手ウエブ２５８とやすり凹溝９６の長手ウエブ２６０との間には数個の接続ウエブ３０１が長手側面４に平行に延在している。このカバー板７に配置された次の凹溝２０はピンセット凹溝１２７である。これもまた短手側面５から面深さ２６５をもって離れて位置する凹部２４を有する。
ピンセット凹溝１２７もまたウエブ状センタリング凹部２５９により形成される。更にこれはやすり凹溝９６の長手ウエブ２６０とはさみ凹溝１１１の長手ウエブ２６６により形成される。このウエブ状センタリング凹部２５９は上側２６７を有し、これは上側１０に平行のベース面２６８から高さ２６９をもって位置する。更にこのセンタリング凹部２５９は深さ２７０内に延在し、これに接続して長手ウエブ２６０が延在してベース面２６８からウエブ高さ２７１をもって位置する。このウエブ高さ２７１は高さ２６９よりも大である。このピンセット凹溝１２７の凹部２４を形成するウエブ状センタリング凹部２５９に接続して他のセンタリングウエブ３０１が長手側面４に平行に延在している。別のセンタリング・ウエブ３０１がはさみ凹溝１１１とボールペン凹溝２０３の領域に配置されている。
図５６において、本発明の収納ケース１の詳細がベース板６とカバー板７を組合せた状態の部分断面図で示されている。ベース板６とカバー板７の結合は長手ウエブ２１９と接続ウエブ２９４の内面２９５との間のギャップ幅２９８の領域に、カバー板７の長手ウエブ２５１が位置して接続ウエブ２９４を閉鎖状態とする。接続ウエブ上側２９７とこれと対面する上側１０に平行の長手ウエブ２５１のウエブ面３０７とが相互に、例えば、接着剤又は溶着により接続される。同時に、長手ウエブのウエブ面３０８はカバー板７のセンタリング・ウエブ２４５に隣接する接続ウエブ３０１のウエブ下側３０２に接続される。この接続システムはまた対向面で合致するコンパートメント・ウエブ２０１でそれぞれ接続されるその他の接続ウエブ２９４及び３０１においても同様である。
図５７及び５８において、収納ケース１の他の形態が示されている。これは旋回板２８を備えていない。しかしながら、一点鎖線で示すように、１つはあってもよい。この収納ケース１は他の図において示した日用品を容易に取り出すための取出し開口部３０９をベース板６又はケース板７に設けられている。この取出し開口部３０９は旋回板２８にも配置することができる。この旋回板２８は固定して使用することができ、或いはミラーとしても使用することができる。
これまでの実施形態において示したすべてのカード形収納ケースに関して重要なことは、内部の高さ３１１、即ち、ベース又はカバー板６、７の対向する内面間でこれに垂直な寸法が収納される物品、特に日用品９の厚さと同等か或いはこれよりも大であることである。このように、ウエブ、特にコンパートメント・ウエブ２０１、ストップ・ウエブ２０６、長手ウエブ２１９、２２６、曲状ウエブ２３１及び／又はセンタリング・ウエブ２２０といった、ベース又はカバー板６、７の内面に垂直に突出する全ウエブは、ベース板６がカバー板７に固定された時に、カバー板７からベース板６の方向へ、又はベース板６からカバー板７の方向へ、内部高さ３１１全体にわたって、或いは内部高さ３１１の一部にわたって延在するようにするか、或いはベース板６からカバー板７へ連続するウエブを形成するようにすることである。
ベース板６又はカバー板７から内部の全高さ３１１にわたって突出するこのようなウエブの配置の利点は、ベース板６又はカバー板７の領域を極めて薄い壁厚とすることができると共に、このウエブの高さにより要件とされるベース板６又はカバー板７の堅固さが得られることである。
また別の利点は、ウエブがベース板６又はカバー板７の内面にわたって突出する場合、幾つかの平行のウエブがカード形収納ケース１の面にわたって配分されてリブを構成し、従って、平らな薄い壁厚３１２又は薄いウエブ厚３１３を得ることができ、またこのようなカード形収納ケースは射出成形によりプラスチックをすべてのキャビティに均等に配分して製造することができることである。
勿論、厚さ３１１の設計は案内ウエブ２７３だけでなく、上記に特定したすべてのウエブにも適用することができる。
更に別の利点は、接続ウエブ２９４、３０１がベース及びカバー板６、７においてウエブ間、例えば、長手ウエブ２３２、２３９とその他すべてのウエブとの接続領域で設けられることであり、また対向する板のベアリング領域、即ち、カバー板７の内面の領域においてベース板６上に形成されたウエブの領域又はその逆の場合の領域において設けられることである。
この接続ウエブ２９４、３０１の幅３１４はウエブの厚さ３１３、例えば、曲状ウエブ２３１及び／又はセンタリング・ウエブ２２０、長手ウエブ２１９、２２６、ストップ・ウエブ２０６及びコンパートメント・ウエブ２０１の厚さよりも大幅に小さい。
接続ウエブ２９４、３０１の高さ３１５は０．０１乃至０．５mmである。この接続ウエブ２９４、３０１は超音波溶接に際して主としていわゆるエネルギー誘導器として作用し、各ウエブと対向するベース板６又はカバー板７との接続がなされる。このエネルギー誘導器を個々のウエブの長手方向に間隔をおいて配置することにより、収納ケース１においてカバー板７の上側１０に垂直の特定の弾性運動を可能にする領域を創り出すことができる。これの利点は、接着剤又は溶着の接続部分でこの接続を破壊することなく、物品、特に日用品９を挿入してこれを該当するマウント又は装着突部にロックするために必要とされる容積の増大を回避することができることである。またこの２つの部材を接着するに際して、図において細い破線で示す接続ウエブ２９４、３０１に従って接着するのが有利である。ここの接続ウエブ２９４、３０１間の間隔は要件となるカバー板の弾性回復力による変形との関係において選択することができる。
また、カバー板７をベース板６にフィットする際に、この２つの部材の中心合わせの案内要素として、少なくとも高さにおいてオーバラップするか、或いは高さ３１１全体にわたって延在する平行のウエブを使用することは本発明の範囲に属することは言うまでもない。
また、カバー板７の上側１０に対して傾斜する傾斜面３１６のようなセンタリング手段を設けて、カバー板７の中心を決めてベース板６に対して位置決めすることで製造公差を可能にする。
また、収納ケース１の表面又は旋回板２８、特にカバー板７の上側１０に亜鉛メッキ、或いは別の方法で塗膜を施して、例えば、反射するものとしてミラーとすることもできる。また、ベース板６の上側１０又は底側１９の少なくとも部分的に太陽電池を設けて、例えば、ＶＨＦ受信器又は、位置の伝達、信号発光等の緊急送信器のためのエネルギー保存を可能とすることができる。
カード形収納ケース１の内部区画における日用品の配分及び配置は任意に修正することができる。
本発明の範囲において、個々の実施形態の個々の部分はいかなる組合せにおいても取り出せるようにして、個々の部分又は部分のグループが別個の独立した主題を形成するだけでなく、個々の部分、特に個々の実施形態の収納コンパートメント８の設計を相互に交換可能とすることができる。すべての実施形態の利点は、凹部が一部はベース板６に、一部はカバー板７に、或いはベース板６のみに、又はカバー板７のみに配置されて内部の高さ３１１にわたって延在するウエブにより分離されていることである。
このカード形収納ケース１はいかなる材料からも製造することができるが、特にプラスチックをもって射出成形加工又は押出し加工又はエンボス加工により製造することができる。また、その他の材料としてアルミニウム、木材、厚紙等を使用することができる。
このカード形収納ケース１には更に、クレジット・カード、名刺、或いはお金を装備、保持するための突出保持鼻部（noses）等の保持要素をも設けることもできる。
個々の実施形態の詳細、特に従属請求項における特徴は個々の発明の主題を表明することに注目すべきである。また、一実施形態の詳細は別の実施形態の１つ又はこれ以上の他の詳細と組合せることができる。
最後に、図面をより良く理解するために、図面の個々の部材又は部分は一定の比例をもって描かれたものではなく、例えば、接続ウエブ２９４、３０１のように比例を無視して拡大されていることに注目されたい。
0004098360.tif 000002
0004098360.tif 000003
0004098360.tif 000004
0004098360.tif 000005
0004098360.tif 000006
0004098360.tif 000007
【図１】
0004098360.tif 000008
【図２】
0004098360.tif 000009
【図３】
0004098360.tif 000010
【図４】
0004098360.tif 000011
【図５】
0004098360.tif 000012
【図６】
0004098360.tif 000013
【図７】
0004098360.tif 000014
【図８】
0004098360.tif 000015
【図９】
0004098360.tif 000016
【図１０】
0004098360.tif 000017
【図１１】
0004098360.tif 000018
【図１２】
0004098360.tif 000019
【図１３】
0004098360.tif 000020
【図１４】
0004098360.tif 000021
【図１５】
0004098360.tif 000022
【図１６】
0004098360.tif 000023
【図１７】
0004098360.tif 000024
【図１８】
0004098360.tif 000025
【図１９】
0004098360.tif 000026
【図２０】
0004098360.tif 000027
【図２１】
0004098360.tif 000028
【図２２】
0004098360.tif 000029
【図２３】
0004098360.tif 000030
【図２４】
0004098360.tif 000031
【図２５】
0004098360.tif 000032
【図２６】
0004098360.tif 000033
【図２７】
0004098360.tif 000034
【図３１】
0004098360.tif 000035
【図２８】
0004098360.tif 000036
【図２９】
0004098360.tif 000037
【図３０】
0004098360.tif 000038
【図３２】
0004098360.tif 000039
【図３３】
0004098360.tif 000040
【図３４】
0004098360.tif 000041
【図３５】
0004098360.tif 000042
【図３６】
0004098360.tif 000043
【図３７】
0004098360.tif 000044
【図３８】
0004098360.tif 000045
【図３９】
0004098360.tif 000046
【図４０】
0004098360.tif 000047
【図４３】
0004098360.tif 000048
【図４１】
0004098360.tif 000049
【図４２】
0004098360.tif 000050
【図４４】
0004098360.tif 000051
【図４５】
0004098360.tif 000052
【図４６】
0004098360.tif 000053
【図４７】
0004098360.tif 000054
【図４８】
0004098360.tif 000055
【図４９】
0004098360.tif 000056
【図５０】
0004098360.tif 000057
【図５１】
0004098360.tif 000058
【図５２】
0004098360.tif 000059
【図５３】
0004098360.tif 000060
【図５４】
0004098360.tif 000061
【図５５】
0004098360.tif 000062
【図５６】
0004098360.tif 000063
【図５９】
0004098360.tif 000064
【図５７】
0004098360.tif 000065
【図５８】
0004098360.tif 000066